(57)【要約】【課題】カバー部材とレンズ鏡筒との位置を正確に合わせることができるカメラを提供する。また、レンズ鏡筒の駆動音がマイクに伝わりにくいカメラを提供する。【解決手段】固定筒１と前側カバー部材１０との間に弾性部材２１を少なくとも径方向において変形させた状態で設ける。位置決め部２１ｃの内径は、その自由状態において位置決め部２１ｃに対応する固定筒１の外径よりも小さく、位置決め部２１ｃの外径は、弾性部材２１を固定筒に組み付けた状態において位置決め部２１ｃに対応する前側カバー部材１０の内径よりも大きくする。【選択図】図１
2006349750.tif 000002
【特許請求の範囲】
【請求項１】
撮影光学系と、
前記撮影光学系を駆動するときであっても撮像面に対して相対的に移動しない様に固定されている固定筒と、
少なくとも前記固定筒の被写体側外周部分を覆うカバー部材と、
前記固定筒と前記カバー部材との間で径方向において挟まれる位置に配置され前記固定筒と前記カバー部材との径方向における位置決めをする位置決め部を有する略円環状の弾性部材と、
を備え、
前記位置決め部の内径は、その自由状態において前記位置決め部に対応する前記固定筒の外径よりも小さく、
前記位置決め部の外径は、前記弾性部材を前記固定筒に組み付けた状態において前記位置決め部に対応する前記カバー部材の内径よりも大きいこと、
を特徴とするカメラ。
【請求項２】
請求項１に記載のカメラにおいて、
前記位置決め部は、その内径側、外径側の少なくとも一方に、突起部を複数有しており、前記突起部の頂部を結ぶ内径、及び／又は、外径が前記位置決め部の内径、及び／又は、前記位置決め部の外径に相当すること、
を特徴とするカメラ。
【請求項３】
請求項１または請求項２に記載のカメラにおいて、
前記弾性部材は、前記位置決め部の内径より内径が小さく、かつ、前記固定筒と前記カバー部材との間で前記撮影光学系の光軸に略沿った方向で挟まれるフランジ部を有していること、
を特徴とするカメラ。
【請求項４】
請求項１から請求項３までのいずれか１項に記載のカメラにおいて、
前記固定筒の外径をｄ、前記位置決め部の内径をＤとしたときに、
０．９５×ｄ≦Ｄ≦０．９９×ｄ
の関係を満足すること、
を特徴とするカメラ。
【請求項５】
請求項１から請求項４までのいずれか１項に記載のカメラにおいて、
前記弾性部材を前記固定筒に組み付けた状態における前記位置決め部の厚みをＷ１、カメラ完成品状態における前記位置決め部の厚みをＷ２としたときに、
０．７×Ｗ１≦Ｗ２≦０．９２×Ｗ１
の関係を満足すること、
を特徴とするカメラ。
【請求項６】
請求項１から請求項５までのいずれか１項に記載のカメラにおいて、
前記固定筒よりも外径が小さく前記撮影光学系を駆動するときに移動する移動筒を有し、
前記フランジ部の肉厚よりも薄い肉厚で前記フランジ部の内径よりもさらに内径が小さく、かつ、前記移動筒の外径よりも内径が小さい遮光カーテン部を有すること、
を特徴とするカメラ。
【発明の詳細な説明】
【技術分野】
【０００１】
本発明は、デジタルカメラ、フィルムカメラ等のカメラに関するものである。
【背景技術】
【０００２】
カメラでは、撮影光学系を有したレンズ鏡筒とカメラの外観部品であるカバー部材とがそれぞれ別々に組み立てられ、製造工程中でそれらを組み合わせることにより、カメラを完成するものが多い。
この場合、レンズ鏡筒は、カバー部材に設けられた開口孔に挿入される形で組み立てられるが、レンズ鏡筒と開口孔との位置（芯）がずれるとレンズ鏡筒の外径と開口孔の内径との間に生じる隙間の幅が位置により異なってしまう。このずれは、撮影には、何ら悪影響を与えるものではない。しかし、そのような位置ずれがあると、カメラ購入者にとっては、撮影結果に悪影響があるかのように感じてしまうことから、位置ずれを無くす必要があった。
【０００３】
ここで、レンズ鏡筒をカバー部材に対してビスなどを利用してしっかりと固定することができれば、上述のような位置ずれが生じないようにすることができる。
しかし、レンズ鏡筒をカバー部材に対してビスなどを利用して固定すると、カメラ外装を撮影者が強くつかんだ場合にレンズ鏡筒にまで力が及んでしまい、片ボケしたり、合焦しなかったりする等、撮影結果に悪影響を及ぼすおそれがあった。
また、カメラがデジタルカメラの場合であって、音声をマイクにより録音する場合には、レンズ鏡筒の駆動音が直接カバー部材に伝わり、カバー部材に取り付けられたマイクに達して、録音されてしまうという問題があった。
【０００４】
特許文献１では、固定筒の前端部とフロントカバーとの間に化粧リングを設けて固定筒とフロントカバーとの位置を決めている。
しかし、特許文献１に記載の化粧リングは、非弾性材料又は弾性材を用いており、固定筒の前端部とフロントカバーとの間は、すきま嵌合により位置決めしていることから、このすきま分について位置ずれが生じてしまうという問題があった。特に近年の小型化されたカメラにおいては、僅かな位置ずれであっても、そのずれがカメラの大きさに対して相対的に大きなものとなってしまい、特許文献１に記載の手法では、十分な位置合わせを行うことができなかった。
【特許文献１】特開２００３−１６７１８１号公報
【発明の開示】
【発明が解決しようとする課題】
【０００５】
本発明の課題は、カバー部材とレンズ鏡筒との位置を正確に合わせることができるカメラを提供することである。また、本発明の他の課題は、レンズ鏡筒の駆動音がマイクに伝わりにくいカメラを提供することである。
【課題を解決するための手段】
【０００６】
前記課題を解決するために、請求項１の発明は、撮影光学系と、前記撮影光学系を駆動するときであっても撮像面に対して相対的に移動しない様に固定されている固定筒と、少なくとも前記固定筒の被写体側外周部分を覆うカバー部材と、前記固定筒と前記カバー部材との間で径方向において挟まれる位置に配置され前記固定筒と前記カバー部材との径方向における位置決めをする位置決め部を有する略円環状の弾性部材と、を備え、前記位置決め部の内径は、その自由状態において前記位置決め部に対応する前記固定筒の外径よりも小さく、前記位置決め部の外径は、前記弾性部材を前記固定筒に組み付けた状態において前記位置決め部に対応する前記カバー部材の内径よりも大きいこと、を特徴とするカメラである。
請求項２の発明は、請求項１に記載のカメラにおいて、前記位置決め部は、その内径側、外径側の少なくとも一方に、突起部を複数有しており、前記突起部の頂部を結ぶ内径、及び／又は、外径が前記位置決め部の内径、及び／又は、前記位置決め部の外径に相当すること、を特徴とするカメラである。
請求項３の発明は、請求項１または請求項２に記載のカメラにおいて、前記弾性部材は、前記位置決め部の内径より内径が小さく、かつ、前記固定筒と前記カバー部材との間で前記撮影光学系の光軸に略沿った方向で挟まれるフランジ部を有していること、を特徴とするカメラである。
請求項４の発明は、請求項１から請求項３までのいずれか１項に記載のカメラにおいて、前記固定筒の外径をｄ、前記位置決め部の内径をＤとしたときに、０．９５×ｄ≦Ｄ≦０．９９×ｄの関係を満足すること、を特徴とするカメラである。
請求項５の発明は、請求項１から請求項４までのいずれか１項に記載のカメラにおいて、前記弾性部材を前記固定筒に組み付けた状態における前記位置決め部の厚みをＷ１、カメラ完成品状態における前記位置決め部の厚みをＷ２としたときに、０．７×Ｗ１≦Ｗ２≦０．９２×Ｗ１の関係を満足すること、を特徴とするカメラである。
請求項６の発明は、請求項１から請求項５までのいずれか１項に記載のカメラにおいて、前記固定筒よりも外径が小さく前記撮影光学系を駆動するときに移動する移動筒を有し、前記フランジ部の肉厚よりも薄い肉厚で前記フランジ部の内径よりもさらに内径が小さく、かつ、前記移動筒の外径よりも内径が小さい遮光カーテン部を有すること、を特徴とするカメラである。
【発明の効果】
【０００７】
本発明によれば、以下の効果を奏することができる。
請求項１の発明によれば、位置決め部の内径は、その自由状態において位置決め部に対応する固定筒の外径よりも小さく、位置決め部の外径は、弾性部材を固定筒に組み付けた状態において位置決め部に対応するカバー部材の内径よりも大きいので、特別な位置調整作業をすることなく固定筒とカバー部材との位置を正確に合わせることができる。また、レンズ鏡筒の駆動音が外装に伝わりにくくなり、外部に漏れる駆動音を低減することができるとともに、カメラに設けられたマイクに録音される駆動音も低減することができる。
【０００８】
請求項２の発明によれば、突起部を複数有しているので、弾性部材の変形量が大きくても組み付けを容易に行うことができる。
【０００９】
請求項３の発明によれば、固定筒とカバー部材との間で撮影光学系の光軸に略沿った方向で挟まれるフランジ部を有しているので、光軸方向に沿った方向における弾性部材の位置を容易に決めることができ、固定筒に対して弾性部材の組付けを容易に行える。
【００１０】
請求項４の発明によれば、０．９５×ｄ≦Ｄ≦０．９９×ｄの関係を満足するので、弾性部材を固定筒に対して組み付けたときに、必ず弾性部材の変形を伴い、弾性部材と固定筒との間に隙間が生じることなく、その一方で、組み立てにくくなることも防止できる。
【００１１】
請求項５の発明によれば、０．７×Ｗ１≦Ｗ２≦０．９２×Ｗ１の関係を満足するので、固定筒とカバー部材との間で弾性部材が確実に変形を伴って組みつけられるとともに、組み立てにくくなることも防止できる。
【００１２】
請求項６の発明によれば、遮光カーテン部を有するので、遮光カーテンを形成する部材を新たに設けることなく、固定筒と移動筒との間に対して遮光、防塵効果を得ることができる。
【発明を実施するための最良の形態】
【００１３】
カバー部材とレンズ鏡筒との位置を正確に合わせるという目的、及び、レンズ鏡筒の駆動音がマイクに伝わりにくくするという目的を、カバー部材とレンズ鏡筒との間に設けた弾性部材を変形させて使用することにより実現した。
【実施例１】
【００１４】
図１は、実施例１におけるカメラの概略を示す図である。図１（ｂ）は、光軸に沿って被写体側（前面側）から見た図であり、図１（ａ）は、図１（ｂ）中に示したＡ−Ａ断面を示している。
実施例１のカメラは、焦点距離を変更（ズーム）することができる撮影光学系により撮像面に結像する映像を電子データとして記録するデジタルカメラであり、固定筒１，移動筒２，撮像素子３，外部表示ＬＣＤ４，モータ５，メインコンデンサ６，バッテリ７，メモリカードスロット８，メイン基板９，前側カバー部材１０，後側カバー部材１１，上面操作部１２，背面操作部１３，内蔵照明装置１４，化粧リング１５，弾性部材２１等を有している。
【００１５】
固定筒１は、カメラの撮影光学系を含むレンズ鏡筒のベースとなる部材であって、撮影光学系をズーム駆動するときであっても撮像面に対して相対的に移動しない様に、メイン基板９に対して固定されている。固定筒１の外周面は、略円筒面となっている。
【００１６】
移動筒２は、撮影光学系のズーム駆動に応じて光軸方向に沿って移動するレンズ枠である。移動筒２の外周面は、固定筒１の外周面と同心の円筒面となっている。
撮像素子３は、撮影光学系により結像する映像を撮像する素子であり、ＣＣＤ、ＣＭＯＳ等を用いることができる。
【００１７】
外部表示ＬＣＤ４は、撮像素子３を介した映像、及び、撮影情報等を表示することができる液晶表示装置であり、カメラを撮影者が構えたときに撮影者側となる面（背面）に表示されるようにメイン基板９に対して固定されている。
モータ５は、ズーム駆動の駆動力を発生するモータであり、メイン基板９に対して固定されている。モータ５の駆動力は、不図示の駆動力伝達機構により固定筒１の内側に設けられた不図示のレンズ駆動機構に伝えられる。
メインコンデンサ６は、内蔵照明装置１４の閃光発光に必要なエネルギを充電するコンデンサであり、メイン基板９に対して固定されている。
【００１８】
バッテリ７は、カメラの動作に必要なエネルギを供給する電源であり、メイン基板９に対して固定されている。
メモリカードスロット８は、撮影データ等を記録する外部記録媒体であるメモリカードを装着することができる部分であり、メイン基板９に対して固定されている。
メイン基板９は、カメラの動作に必要な不図示の回路、ＩＣ等が形成、実装された電気基板であり、固定筒１及び撮像素子３も含めた多くの部品がこのメイン基板９に固定されて、カメラの主要部分を形成している。
【００１９】
前側カバー部材１０は、カメラの外観を形成するカバー部材であって、固定筒１の被写体側外周部分を覆うようにして、移動筒２が通過可能な開口部が形成されている他は、カメラの被写体側の大半を覆うように形成されている。
後側カバー部材１１は、前側カバー部材１０と同様にカメラの外観を形成するカバー部材である。後側カバー部材１１は、前側カバー部材１０が覆うことができない後側部分を主に覆うように形成されている。
なお、前側カバー部材１０及び後側カバー部材１１は、メイン基板９に固定された固定筒１などのカメラ内蔵物に対してビスなどの固定手段を使うことなく、カメラ内蔵物を覆う形で、前側カバー部材１０と後側カバー部材１１とを固定している。
【００２０】
上面操作部１２は、カメラの上面部分に形成された操作部材であって、撮影を指示するシャッタ釦である。
背面操作部１３は、カメラの詳細な操作、例えば、撮影モードの設定、撮影画像の消去等を行うときに使用される操作部材であり、カメラの背面部分に形成されている。
内蔵照明装置１４は、撮影時に必要に応じて閃光を発光して被写体を照明する閃光発光装置であり、カメラ前面側の上方に設けられている。
化粧リング１５は、前側カバー部材１０の移動筒２が通過する開口部の周りに設けられた装飾用のリング状部材である。化粧リング１５は、不図示の位置決め形状が設けられており、これに対応する前側カバー部材１０に設けられた位置決め形状との関係により前側カバー部材１０に対して位置決めされている。
【００２１】
弾性部材２１は、固定筒１と前側カバー部材１０との間で挟まれる位置に配置され、固定筒１と前側カバー部材１０との径方向における位置決めをする略円環状の部材である。
図２は、弾性部材２１の形状を示す図である。図２（ａ）は、被写体方向から見た図であり、図２（ｂ）は、図２（ａ）中に示したＢ-Ｂ断面を示し、図２（ｃ）は、下方（又は側方）から見た図であり、図２（ｄ）は、斜視図である。
弾性部材２１は、円筒部２１ａ及び突起部２１ｂを有した位置決め部２１ｃと、フランジ部２１ｄとを有しており、ゴムにより形成されている。
円筒部２１ａは、固定筒１の外周に沿って円環状に形成されており、この円筒部２１ａの外周に光軸方向に相当する方向に略沿った方向に延在する三角柱状の突起部２１ｂが円周方向に８箇所略等間隔で設けられている。これら円筒部２１ａ及び突起部２１ｂを有した位置決め部２１ｃが固定筒１と前側カバー部材１０との間で径方向において変形を伴いながら挟まれることにより、固定筒１と前側カバー部材１０との相対的な位置を決めている。
フランジ部２１ｄは、位置決め部２１ｃの内径より内径が小さく、かつ、固定筒１と前側カバー部材１０との間で撮影光学系の光軸に略沿った方向で挟まれる部分である。
【００２２】
図３は、弾性部材２１と固定筒１とを示す斜視図である。図３（ａ）は、弾性部材２１を固定筒１に組み付ける前の状態を示し、図３（ｂ）は、弾性部材２１を固定筒１に組み付けた状態を示す図である。
図４は、弾性部材２１，固定筒１，前側カバー部材１０の関係を組立工程に沿って示した図である。
弾性部材２１は、先ず固定筒１の前端部に組みつけられる（図４（ａ）から（ｂ））。ここで、固定筒１の外径（外直径）をｄ、弾性部材２１の位置決め部２１ｃの内径（内直径）をＤとしたときに、
Ｄ＜ｄ  ・・・式（１）
の関係を満たすことが必要である。より好ましくは、以下の式（２）の関係を満たすことが望ましい。なお、この理由については、後述する。
０．９５×ｄ≦  Ｄ  ≦０．９９×ｄ  ・・・式（２）
【００２３】
固定筒１の前端部に弾性部材２１を組み付けた後に、前側カバー部材１０を被せる（図４（ｃ））。
ここで、弾性部材２１を固定筒１に組み付けた状態における位置決め部２１ｃの外径（突起部２１ｂの頂部を結ぶ外径）をＥ、位置決め部２１ｃに対応する前側カバー部材１０の内径をｅとしたときに、
Ｅ＞ｅ  ・・・式（３）
の関係を満たすことが必要である。より好ましくは、弾性部材２１を固定筒１に組み付けた状態における弾性部材２１の位置決め部２１ｃの厚みをＷ１、カメラ完成品状態における位置決め部２１ｃの厚みをＷ２としたときに、以下の式（４）の関係を満たすことが望ましい。
０．７×Ｗ１≦  Ｗ２  ≦０．９２×Ｗ１  ・・・式（４）
なお、弾性部材２１を固定筒１に組み付けた状態における弾性部材２１の位置決め部２１ｃの厚みＷ１を管理するよりも、弾性部材２１の自由状態における位置決め部２１ｃの厚みＷ０を管理する方が容易である。よって、予め実験を行う等して、位置決め部２１ｃの厚みが固定筒１への取り付けによりどの程度変化するかの情報を得ておき、この厚みＷ０を管理するようにしてもよい。例えば、弾性部材２１を固定筒１に組み付けたことにより、Ｘ％まで厚みが減少するとすれば、Ｗ１＝Ｗ０×Ｘ／１００となるので、上記式（４）を変形した以下の式（５）により管理を行えばよい。
０．７×Ｗ０×Ｘ／１００≦  Ｗ２  ≦０．９２×Ｗ０×Ｘ／１００  ・・・式（５）
【００２４】
上述した式（１）及び式（３）、より好ましくは、式（２）及び式（４）を満たすことにより、弾性部材２１は、固定筒１と前側カバー部材１０との間の径方向において必ず変形を伴って組み付けられる。そうすると弾性部材２１が径方向において変形することにより、変形に対する反発付勢力が発生する。位置決め部２１ｃとして機能するのは、突起部２１ｂが設けられている部分であるが、突起部２１ｂは、円周方向に８箇所略等間隔で設けられているので、反発付勢力も固定筒１の周りにおいて均等に生じる。従って、固定筒１と前側カバー部材１０との位置関係は、調整等をすることなく自然と正確な位置関係に収まり、固定筒１と前側カバー部材１０の開口孔との位置（芯）がずれることなく、常に正確に位置決めして組み付けることができる。
また、レンズ鏡筒を駆動する際の振動が前側カバー部材に伝わりにくくなり、外部に漏れる駆動音を低減できるとともに、マイクを備える場合には、録音される駆動音を低減することができる。
【実施例２】
【００２５】
図５は、実施例２の弾性部材２２の形状を示す図である。図５は、実施例１の図２と同様な形式で示している。
図６は、弾性部材２２，固定筒１，前側カバー部材１０の関係を組立工程に沿って示した図である。
実施例２におけるカメラは、実施例１における弾性部材２１を改良した弾性部材２２を用いている他は、実施例１と同様な形態をしている。従って、前述した実施例１と同様の機能を果たす部分には、同一の符号を付して、重複する説明を適宜省略する。
弾性部材２２は、遮光カーテン部２２ｅを追加した他は、実施例１における弾性部材２１と同様な形状をしており、弾性部材２１の円筒部２１ａ，突起部２１ｂ，位置決め部２１ｃ，フランジ部２１ｄに対応する円筒部２２ａ，突起部２２ｂ，位置決め部２２ｃ，フランジ部２２ｄに加えて、遮光カーテン部２２ｅを有している。
【００２６】
遮光カーテン部２２ｅは、フランジ部２２ｄの肉厚よりも薄い肉厚でフランジ部２２ｄの内径よりもさらに内径が小さく、かつ、移動筒２の外径よりも内径が僅かに小さく形成された薄いシート状に形成された部分であり、移動筒２と固定筒１との間の隙間から進入する光を遮光するとともに、防塵効果も有している。
本実施例によれば、固定筒１と前側カバー部材１０との位置決めを行うための弾性部材２１に遮光カーテン部２２ｅを設けたので、これらを別々に設ける場合に比べて、小型化することができるとともに、部品点数を少なくすることができる。
【実施例３】
【００２７】
図７は、実施例３の弾性部材２３の形状を示す図である。図７は、実施例１の図２と同様な形式で示している。
実施例３は、実施例２の弾性部材２２の突起部２２ｂの代わりに突起部２３ｂを設けた例であり、その他の部分については、実施例２と同様な形態をしている。従って、弾性部材２３の形状についてのみ説明を行う。
弾性部材２３は、突起部２３ｂの形状を改良した他は、実施例２における弾性部材２２と同様な形状をしており、弾性部材２２の円筒部２２ａ，フランジ部２２ｄ，遮光カーテン部２２ｅに対応する円筒部２３ａ，フランジ部２２ｄ，遮光カーテン部２３ｅを有している。また、弾性部材２３は、突起部２２ｂを改良した突起部２３ｂを有しており、これに対応して位置決め部２３ｃを有している。
【００２８】
突起部２３ｂは、円筒部２３ａの外周に円周方向に沿った方向に全周にわたり延在している。突起部２３ｂの断面形状は、光軸に直交する断面に相当する図７（ｂ）のｆ−ｆ断面において、半円形状となっている。この突起部２３ｂが光軸方向に相当する方向に沿った方向において、間隔を空けて２箇所設けられている。
なお、弾性部材２３をカメラに組み付けたときの変形量は、実施例２における弾性部材２２と同様な関係となっている。
【００２９】
本実施例によれば、円筒部２３ａの外周に突起部２３ｂを円周方向に沿った方向に全周にわたり延在させたので、実施例２の場合と比較して、固定筒１と前側カバー部材１０との位置決め精度をより高くすることができる。すなわち、実施例２の場合には、突起部２２ｂが円周方向に８箇所略等間隔で設けられているが、本実施例では、突起部２３ｂが全周にわたり設けられているので、光軸周りの全方向において弾性部材２３の変形による反発付勢力を固定筒１と前側カバー部材１０との間に発生させることができ、より精度の高い位置決めを行うことができる。また、突起部２３ｂを光軸方向に相当する方向に沿った方向において間隔を空けて２箇所設けたので、弾性部材２３を固定筒１と前側カバー部材１０との間に安定して設けることができる。
【００３０】
（変形例）
以上説明した実施例に限定されることなく、種々の変形や変更が可能であって、それらも本発明の均等の範囲内である。
（１）各実施例において、弾性部材を固定筒に組み付けた後に、前側カバー部材に組み付ける例を示したが、これに限らず、例えば、弾性部材を前側カバー部材に組み付けた後に、固定筒に組み付けてもよい。
【００３１】
（２）各実施例において、弾性部材は、固定筒及び前側カバー部材に対してはめ込むことにより組み付けられている例を示したが、これに限らず、例えば、弾性部材を固定筒、又は、前側カバー部材に対して接着してもよい。この場合、弾性部材の内周面（固定筒側の面）に接着剤だまりを設けてもよい。
【００３２】
（３）各実施例において、突起部を設けて、この突起部を有する部分を位置決め部として使用する例を示したが、これに限らず、例えば、突起部を設けることなく、円筒部をそのまま位置決め部としてもよい。
【００３３】
（４）各実施例において、デジタルカメラを例に挙げて説明したが、これに限らず、フィルムを使用するカメラであってもよい。
【図面の簡単な説明】
【００３４】
【図１】実施例１におけるカメラの概略を示す図である。
【図２】弾性部材２１の形状を示す図である。
【図３】弾性部材２１と固定筒１とを示す斜視図である。
【図４】弾性部材２１，固定筒１，前側カバー部材１０の関係を組立工程に沿って示した図である。
【図５】実施例２の弾性部材２２の形状を示す図である。
【図６】弾性部材２２，固定筒１，前側カバー部材１０の関係を組立工程に沿って示した図である。
【図７】実施例３の弾性部材２３の形状を示す図である。
【符号の説明】
【００３５】
１：固定筒、２：移動筒、３：撮像素子、９：メイン基板、１０：前側カバー部材、１１：後側カバー部材、２１，２２，２３：弾性部材、２１ａ，２２ａ，２３ａ：円筒部、２１ｂ，２２ｂ，２３ｂ：突起部、２１ｃ，２２ｃ，２３ｃ：位置決め部、２１ｄ，２２ｄ，２３ｄ：フランジ部、２２ｅ，２３ｅ：遮光カーテン部
【図１】
2006349750.tif 000003
【図２】
2006349750.tif 000004
【図３】
2006349750.tif 000005
【図４】
2006349750.tif 000006
【図５】
2006349750.tif 000007
【図６】
2006349750.tif 000008
【図７】
2006349750.tif 000009